(57)【要約】【課題】筐体内に侵入した水滴を速やかに筐体外へと排水可能であり、かつ簡易な構造で、水滴が筐体内に侵入することを防止可能とした電気機器収納用箱の内部排水構造を提供する。  【解決手段】筐体本体と、筐体本体の下方に位置する底板１２とを備えた電気機器収納用箱の内部排水構造であって、底板１２は、筐体本体内に侵入した水滴を筐体本体外へ排水する水抜孔１８を備え、底板１２の上面には、水抜孔１８を被覆する第１封止部材としての固定金具１４を設け、固定金具１４の端部下方に、水抜孔１８に連なり、水滴を水抜孔１８へと導く排水部としての排水路１９とを備えるものとした。【選択図】図４
2015216323.tif 000002
【特許請求の範囲】
【請求項１】
筐体本体と、該筐体本体の下方に位置する底板とを備えた電気機器収納用箱の内部排水構造であって、
前記底板は、筐体本体内に侵入した水滴を筐体本体外へ排水する水抜孔を備え、
前記底板の上面には、前記水抜孔を被覆する第１封止部材を設け、
前記第１封止部材の端部下方に、前記水抜孔に連なり、前記水滴を前記水抜孔へと導く排水部を備えたことを特徴とする電気機器収納用箱の内部排水構造。
【請求項２】
前記排水部は、前記底板に形成された開口部を、前記第１封止部材と、前記底板の下面に配置された第２封止部材とにより挟止してなるものとしたことを特徴とする請求項１記載の電気機器収納用箱の内部排水構造。
【請求項３】
前記排水部は、前記第１封止部材と、前記底板との間に形成されるものとしたことを特徴とする請求項１記載の電気機器収納用箱の内部排水構造。
【請求項４】
前記第１封止部材と、前記第２封止部材とを、互いに重複する位置に配置したことを特徴とする請求項２記載の電気機器収納用箱の内部排水構造。
【請求項５】
前記第１封止部材は、前記筐体本体のフレームを固定する、または筐体本体内に載置される電気機器を固定する固定金具であり、
前記第２封止部材は、前記筐体本体が載置される基台であることを特徴とする請求項２または４記載の電気機器収納用箱の内部排水構造。
【請求項６】
前記開口部と前記水抜孔とは、その何れの幅よりも幅狭に形成した連通部を介して連なることを特徴とする請求項２記載の電気機器収納用箱の内部排水構造。
【請求項７】
前記筐体本体は、複数のフレームにより構成された枠体を連結、または複数の板材を連結してなるものとし、前記排水部を、前記フレーム同士、または前記板材同士の連結箇所の内側位置に設けたことを特徴とする請求項１記載の電気機器収納用箱の内部排水構造。
【請求項８】
前記第１封止部材には、前記底板に対して垂直方向に立設した立上辺を形成し、
該立上辺を、前記フレーム同士、または前記板材同士の連結箇所に臨ませたことを特徴とする請求項７記載の電気機器収納用箱の内部排水構造。
【発明の詳細な説明】
【技術分野】
【０００１】
本発明は、電気機器収納用箱の内部に侵入した水滴を排水するための、排水構造に関するものである。
【背景技術】
【０００２】
電気機器を収納するための電気機器収納用箱は、複数のフレームにより構成された枠体を連結してなる、または複数の板材を連結してなる筐体本体によって構成されている。また、この筐体本体の前面には正面板や扉部が設けられ、側面には側板が設けられ、後面には背面板が設けられる。さらに、その上面には遮光のための屋根部が設けられ、下面には床面を形成する床板が設けられることにより、筐体本体の６面が覆われている。
【０００３】
このように構成された電気機器収納用箱は、通常、筐体本体内に水滴や塵が侵入しないよう防水・防塵構造を備えているが、暴風雨時等に万が一、水滴が筐体本体内に侵入してしまった場合でも、この水滴を筐体本体外に排水できるよう、筐体本体には水抜孔が設けられている。しかし、暴風雨時等においては、雨水の吹き返しによって、この水抜孔を介して筐体本体内に水滴が侵入する可能性があるため、例えば特許文献１のように、水抜孔を形成した箇所に水抜装置を設ける技術が開示されている。しかしながら、このような水抜装置は構造が複雑であるため、安価に生産できないといった問題や、水抜孔の形状に応じて水抜装置を製作する必要があるという問題があった。
【先行技術文献】
【特許文献】
【０００４】
【特許文献１】特開２００５−３０２９４６号公報
【発明の概要】
【発明が解決しようとする課題】
【０００５】
本発明の目的は前記した従来の問題点を解決し、筐体本体内に侵入した水滴を速やかに筐体本体外へと排水可能であり、かつ簡易な構造で、水滴が筐体本体内に侵入することを防止可能とした電気機器収納用箱の内部排水構造を提供することである。
【課題を解決するための手段】
【０００６】
上記課題を解決するためになされた本発明は、筐体本体と、該筐体本体の下方に位置する底板とを備えた電気機器収納用箱の内部排水構造であって、前記底板は、筐体本体内に侵入した水滴を筐体本体外へ排水する水抜孔を備え、前記底板の上面には、前記水抜孔を被覆する第１封止部材を設け、前記第１封止部材の端部下方に、前記水抜孔に連なり、前記水滴を前記水抜孔へと導く排水部を備えたことを特徴とするものである。
【０００７】
請求項２記載の発明は、請求項１記載の電気機器収納用箱の内部排水構造において、前記排水部は、前記底板に形成された開口部を、前記第１封止部材と、前記底板の下面に配置された第２封止部材とにより挟止してなるものとしたことを特徴とするものである。
【０００８】
請求項３記載の発明は、請求項１記載の電気機器収納用箱の内部排水構造において、前記排水部は、前記第１封止部材と、前記底板との間に形成されるものとしたことを特徴とするものである。
【０００９】
請求項４記載の発明は、請求項２記載の電気機器収納用箱の内部排水構造において、前記第１封止部材と、前記第２封止部材とを、互いに重複する位置に配置したことを特徴とするものである。
【００１０】
請求項５記載の発明は、請求項２または４記載の電気機器収納用箱の内部排水構造において、前記第１封止部材は、前記筐体本体のフレームを固定する、または筐体本体内に載置される電気機器を固定する固定金具であり、前記第２封止部材は、前記筐体本体が載置される基台であることを特徴とするものである。
【００１１】
請求項６記載の発明は、請求項２記載の電気機器収納用箱の内部排水構造において、前記開口部と前記水抜孔とは、その何れの幅よりも幅狭に形成した連通部を介して連なることを特徴とするものである。
【００１２】
請求項７記載の発明は、請求項１記載の電気機器収納用箱の内部排水構造において、前記筐体本体は、複数のフレームにより構成された枠体を連結、または複数の板材を連結してなるものとし、前記排水部を、前記フレーム同士、または前記板材同士の連結箇所の内側位置に設けたことを特徴とするものである。
【００１３】
請求項８記載の発明は、請求項７記載の電気機器収納用箱の内部排水構造において、前記第１封止部材には、前記底板に対して垂直方向に立設した立上辺を形成し、該立上辺を、前記フレーム同士、または前記板材同士の連結箇所に臨ませたことを特徴とするものである。
【発明の効果】
【００１４】
本発明に係る電気機器収納用箱の内部排水構造は、底板には、筐体本体内に侵入した水滴を筐体本体外へ排水する水抜孔を備え、底板の上面には、水抜孔を被覆する第１封止部材を設け、第１封止部材の端部下方に、水抜孔に連なり、水滴を水抜孔へと導く排水部を備えるものとした。このような構成により、筐体本体内に侵入した水滴は排水部に導かれ、さらに水抜孔を介して筐体本体外へと速やかに排水される。また、暴風雨時等に、水抜孔から水滴が侵入する恐れがある場合でも、水抜孔は第１封止部材によって底板の上面側から被覆されているため、筐体本体内に水滴が侵入することがなく、また万が一水抜孔を介して水滴が侵入したとしても、その水滴は排水部に導かれることとなるため、筐体本体内に侵入することを効果的に防止している。このような構造は、従来のように水抜孔に水抜装置を設けるものと比較して、簡易な構造であるため、安価に生産可能となるものである。
【００１５】
請求項２に係る発明によれば、排水部は、底板に形成された開口部を、第１封止部材と第２封止部材とにより挟止してなるものとし、請求項４に係る発明によれば、第１封止部材と、第２封止部材とを、互いに重複する位置に配置した。これにより、第１封止部材と第２封止部材とにより挟止される空間を排水部とすることができ、より簡易な構造とすることができる。また、同様に、請求項３に係る発明によれば、第１封止部材と底板との間に排水部を形成することができ、簡易な構造とすることができる。
【００１６】
請求項５に係る発明によれば、第１封止部材は、筐体本体のフレームを固定する、または筐体本体内に載置される電気機器を固定する固定金具とし、第２封止部材は、筐体本体が載置される基台とした。固定金具と基台とは、各々電気機器収納用箱を構成するために必要となる部材であるため、新たに専用の部材を設ける必要がなく、既存の部材で内部排水構造を構成可能である。
【００１７】
請求項６に係る発明によれば、開口部と水抜孔とは、その何れの幅よりも幅狭に形成した連通部を介して連なるものとした。これにより、万が一水抜孔を介して水滴が侵入したとしても、連通部によってその水滴が排水部に侵入しにくくなる。
【００１８】
請求項７に係る発明によれば、筐体本体は、複数のフレームにより構成された枠体を連結、または複数の板材を連結してなるものとし、排水部を、フレーム同士、または板材同士の連結箇所の内側位置に設けるものとした。フレーム同士、または板材同士の連結箇所は、特に水滴が筐体本体内に侵入易い箇所であるため、請求項７のような構成とすることにより、筐体本体内に侵入した水滴をより効果的に筐体本体外へと排水可能となる。
【００１９】
請求項８に係る発明によれば、第１封止部材に形成した立上辺を、フレーム同士、または板材同士の連結箇所に臨ませるものとした。これにより、フレーム同士、または板材同士の連結箇所から筐体本体内に侵入した水滴を、的確に排水部へと導くことが可能となる。
【図面の簡単な説明】
【００２０】
【図１】本実施形態の筐体本体と基台とを示す斜視図である。
【図２】図１における筐体本体の前面側の拡大図である。
【図３】本実施形態の電気機器収納用箱を示す全体斜視図である。
【図４】本実施形態における枠体の固定箇所を示す筐体本体内部から見た拡大図である。
【図５】本実施形態における排水路及び水抜孔の状態を示す断面図である。
【図６】本実施形態における縦フレームの連結箇所を示す上面図である。
【図７】その他の実施形態における排水路及び水抜孔の状態を示す断面図である。
【図８】その他の実施形態における排水路及び水抜孔の状態を示す断面図である。
【図９】本実施形態における枠体の固定直前の状態を示す筐体本体内部から見た拡大図である。
【図１０】図４における固定金具を省略した拡大図である。
【図１１】その他の実施形態における排水路及び水抜孔の状態を示す断面図である。
【図１２】その他の実施形態における排水部及び水抜孔の状態を示す断面図である。
【発明を実施するための形態】
【００２１】
以下に本発明の好ましい実施形態を示す。
図１に示すように、電気機器を収納するための電気機器収納用箱の筐体本体１は、縦フレーム２と横フレーム３とからなる枠体４を左右方向に複数配置し、さらに縦フレーム２と奥行フレーム５とからなる枠体４を前後方向に複数配置することにより構成される。なお、左右方向および前後方向とは、図１に示す方向を意味するものである。各枠体４同士は、図２のように隣り合う縦フレーム２同士を連結金具６によって固定することにより連結され、連結金具６の外側には覆い部７が設けられている。また、枠体４を構成する縦フレーム２と、後述する屋根部１６を支持する上部の横フレーム３及び上部の奥行フレーム５とには、各々水切部８が形成されており、これにより筐体本体外へと水を排水可能としている。
【００２２】
筐体本体１の前面側には、図３のように、扉部９および正面板１０が設けられ、左右側面側には側板１１が設けられ、また後面側には図示しない背面板および背面扉が設けられている。また、筐体本体１の底面側には図１のように底板１２が設けられており、さらに、筐体本体１がその上面に載置される基台１３が設けられており、この基台１３は設置場所への固定に用いられる。筐体本体１と基台１３との固定は、図１や図９のように、底板１２に設けられて枠体４の固定に用いられる固定金具１４の固定孔１４ａを、後述する基台フレーム２４の上面に形成した固定孔１５にねじやボルトにより固定することによりなされるものとした。
【００２３】
図４及び図９は、枠体４の固定金具１４への取付状態を、図６及び図１０は図４の固定金具１４を省略した状態を示すものであり、各図のように、枠体４には固定部４０が設けられ、固定部４０には固定金具１４の固定部１４ｂをねじ止めするための固定孔４０ａが形成されており、また、上記の基台１３の固定孔１５と固定金具１４の固定孔１４ａをねじで固定するための貫通孔４０ｂが形成されている。この固定部４０は、縦フレーム２同士の連結箇所の内側、及び筐体本体１の角部に配置される。
【００２４】
図３のように、筐体本体１の天井側を遮光するために、屋根部１６が設けられており、この屋根部１６は、複数の屋根板材１７を連結することによって構成されるものであり、本実施形態では、計３枚の屋根板材１７により構成するものとした。また、屋根部１６は、その上部に水が溜まらないよう、前面側から後面側にかけて傾斜させている。
【００２５】
図１０のように、底板１２のうち、縦フレーム２同士の連結箇所の内側には、筐体本体１内に侵入した水滴を筐体本体１外へ排水する水抜孔１８を形成するものとし、そして、図４のように水抜孔１８の上面には、第１封止部材である固定金具１４が配置され、これにより水抜孔１８が被覆される構成とし、固定金具１４の端部下方には、水抜孔１８に連なり、水滴を水抜孔１８へと導く排水部となる排水路１９を備えた構成とした。この固定金具１４により、基台１３側から水抜孔１８を通過して、筐体本体１内に水滴が侵入することを防止している。
【００２６】
本実施形態において、固定金具１４の端部下方に形成される排水路１９は、図４、図５のように、底板１２に形成された開口部２０を、第１封止部材である固定金具１４と、底板１２の下面に位置する第２封止部材である基台１３とにより、挟止してなるものとした。このような構成により、筐体本体１内に侵入した水滴は排水路１９に導かれ、さらに水抜孔１８を介して筐体本体１外へと速やかに排水される。また、暴風雨時等に、水抜孔１８から水滴が侵入する恐れがある場合でも、水抜孔１８は第１封止部材である固定金具１４によって底板１２の上面側から被覆されているため、筐体本体１内に水滴や塵が侵入することがなく、また万が一水抜孔１８を介して水滴が侵入したとしても、その水滴は排水路１９に導かれることとなるため、筐体本体１内に侵入することを防止する。
【００２７】
このような構造は、従来のように水抜孔１８に水抜装置を設けるものと比較して、水抜孔１８の形状に関わらず簡易な構造で安価に生産可能となるものである。また、第１封止部材である固定金具１４と第２封止部材である基台１３とにより挟止される空間を排水路１９とすることで、より簡易な構造とすることができ、また固定金具１４と基台１３とは、各々電気機器収納用箱を構成するために必要となる部材であるため、新たに専用の部材を設ける必要がないものである。さらに、縦フレーム２同士の連結箇所は、特に水滴が筐体本体１内に侵入易い箇所であるため、連結箇所に対応する位置に底板１２の開口部２０を形成することにより、筐体本体１内に侵入した水滴をより効果的に筐体本体１外へと排水可能となる。
【００２８】
なお、固定金具１４と、基台１３とは、図５のように互いの端部を重複する位置に配置するものとして排水路１９を形成するものとすることが好ましく、これにより排水路１９をより長く形成して、筐体本体１内への水滴や塵の侵入をより効果的に防止することが可能となる。また、底板１２に開口部２０のみを形成している場合においては、開口部２０の上下を固定金具１４と基台１３とが重複する位置に配置するだけで水抜孔１８と排水路１９が形成される。
【００２９】
図６や図１０は、固定金具１４を省略したものであり、本実施形態においては、開口部２０と水抜孔１８との２つの開口からなり、その何れの幅よりも幅狭に形成した連通部２１を介して連なるものとした。これにより、万が一水抜孔１８を介して水滴が侵入、または塵が侵入したとしても、連通部２１によってその水滴や塵が排水路１９に侵入しにくくなる効果を有する。なお、第２封止部材である基台１３は開口部２０の下方で、さらに、水抜孔１８の一部を覆うように形成しており、筐体本体１への侵入箇所を小さく形成し、水や塵が浸入しにくくなるようにしている。
【００３０】
図４のように、固定金具１４には、底板１２に対して垂直方向に立設した立上辺２２を形成し、この立上辺２２を、縦フレーム２同士の連結箇所に臨ませるものとした。これにより、縦フレーム同士２の連結箇所から筐体本体１内に侵入した水滴を、的確に排水路１９へと導くことが可能となる。
【００３１】
本実施形態においては、固定金具１４は枠体４の固定をするためのものを利用したが、その他にも、筐体本体１内に載置される電気機器等を固定する金具であっても良い。また、筐体本体１は、モノコック式のように、側板１１同士を連結する構成としても良く、その場合は側板１１同士の連結箇所の内側に開口部２０、排水路１９を形成するものとする。
【００３２】
その他の実施形態としては、図７及び図８に示すように、第２の封止部材を基台１３以外で形成するもの、もしくは使用しない構成で排水部としての排水路１９を形成とすることもできる。その詳細は、図７のように、底板１２に板材２３を固定して、この板材２３を第２封止部材として利用し、板材２３と固定金具１４の端部下方間に排水路１９を形成、または図８のように、底板１２の開口部２０を階段状に、段差を持たせて形成することにより、底板１２と固定金具１４の端部下方間に排水路１９を形成するものとしても良い。更に、第２の封止部材を使用しない構成として、図１１のように、第１封止部材としてクランク状に形成した板材５０を底板１２の上面に固定し、板材５０で開口部２０を被覆し、更に、板材５０の端部を延設し、底板１２と板材５０の延設した端部下方間に排水部としての排水路１９を設けるものであっても良い。何れの実施形態においても、水滴を筐体本体１外へと排水する水抜孔１８を底板１２の上面に形成した第１の封止部材で被覆し、筐体本体１内から上面視で水抜孔１８が露出しないようにしておくもので、少なくとも、図１２のように第１の封止部材となる板材５０の端部が水抜孔１８を被覆し、板材５０の端部下方と底板１２間に排水部１９を形成しておくことが必要である。なお、排水部となる排水路１９が長くなればなるほど筐体本体１内に水滴が侵入することを効果的に防止できるものである。
【００３３】
基台１３は、図１に示すように、４本の基台フレーム２４を枠状に組み合わせて溶接してなるものである。本実施形態においては、特に前面側と後面側に配置される基台フレームを前後基台フレーム２４ａとし、左右側面側に配置される基台フレームを左右基台フレーム２４ｂとして説明する。基台フレーム２４は、枠状であり、また開口部２５を備えた断面略コ字状のものである。この基台フレーム２４の上面のうち、縦フレーム２に形成された水切部８の下方であって、図５に示すように筐体本体１の外側に対応する位置には、水切部８を伝って基台１３上に到達した水滴を基台フレーム２４内へと導く排水口２６を設けるものとした。なお、基台フレーム２４内とは、基台フレーム２４の筐体本体１が固定される上面と、設置場所へ固定される下面に囲まれた空間で、開口部２５の内側を意味する。これによって、縦フレーム２の水切部８を伝った水滴は排水口２６を介して基台フレーム２４内へと速やかに導かれるため、基台１３上に水滴が溜まることがない。また、排水口２６を縦フレーム２に形成された水切部８の下方に設けることにより、縦フレーム２の下端から筐体本体１内に水滴が侵入する問題を回避可能となる。
【００３４】
本実施形態の筐体本体１は、具体的には、図５に示すように、底板１２により縦フレーム２の下方が覆われるように構成されている。しかしながら、このような構成では、縦フレーム２の水切部８から流れてきた水滴が、底板１２上に溜まってしまい、溜まった水滴が縦フレーム２の下端と底板１２の間から侵入する恐れがある。そこで、底板１２の端部となる縦フレーム２の対応位置には孔部１２ａを形成するものとした。これにより、縦フレーム２の水切部８からの流れてきた水滴は、底板１２の孔部１２ａを介して、筐体本体１外に排水される。
【００３５】
縦フレーム２の水切部８の対応位置には左右基台フレーム２４ｂの排水口２６が形成されており、すなわち、底板１２の孔部１２ａの下方の対応位置に排水口２６が設けられるものである。このような構造のため、図５に示すように、縦フレーム２の水切部８を伝わって底板１２の孔部１２ａを介して排水口２６に流れるようにしており、縦フレーム２の下端から筐体本体１内に水滴が侵入することを防止している。
【００３６】
本実施形態においては、図１のように、前後フレーム２４ａを、開口部２５が筐体本体１の外側に面する方向に配置するものとし、さらに左右基台フレーム２４ｂを、開口部２５が筐体本体１内側に面する方向に配置するものとした。すべての基台フレーム２４を、その開口部２５が筐体本体１外側に面する方向に配置した場合は、基台１３の強度が低下するため、本実施形態に示す構成により、基台１３の強度低下を防止することができるものとした。また、前後基台フレーム２４ａの排水口２６から基台フレーム２４内へと導かれた水滴は、そのまま基台１３外へと排水されることとなる。
【００３７】
さらに、左右基台フレーム２４ｂには、図５のように、排水口２６に連なるガイド部材２７を設けるものとし、この左右基台フレーム２４ｂの側面部３１には、ガイド部材２７に連なり、ガイド部材２７を伝う水滴を基台１３外へと排水する放出口２８を形成するものとした。なお、ガイド部材２７の両端部は、各々排水口２６と放出口２８に溶接して取付けられるものとした。これにより、水滴は排水口２６からガイド部材２７へと伝わり、さらにガイド部材２７から放出口２８を介して基台１３外へと速やかに導かれることとなる。ガイド部材２７を設けない場合は、排水口２６を介して基台１３内に導かれた水滴が基台１３外に排水されずに基台１３内に溜まり、筐体本体１内の湿度を上昇させる原因となり得るが、縦フレーム２の水切部８を介して流れてきた水滴が、左右基台フレーム２４ｂの上面に形成された排水口２６から左右基台フレーム２４ｂ内へと導かれ、左右基台フレーム２４ｂの内部に形成したガイド部材２７の表面上を水滴が伝わり、左右基台フレーム２４ｂの側面部３１に形成した放出口２８より基台１３外へと排水させるものである。ガイド部材２７と放出口２８とを介して基台１３外に水滴を速やかに排水する構成とすることにより、前記湿度上昇を確実に回避し、湿度上昇による電気機器の劣化を防止することができるものとした。縦フレーム２連結箇所の外側には基台１３の排水口２６を、縦フレーム２連結箇所の内側には底板１２の開口部２０を形成しておくことにより筐体本体１の防水性能を向上させているものである。
【００３８】
なお、このガイド部材２７及び放出口２８は、開口部２５が筐体本体１内側に面する方向に配置された左右基台フレーム２４ｂにおいて必須となるが、前後基台フレーム２４ａにおいては、基台１３内に水滴が溜まることがないために、本実施形態のように省略することができるものである。
【００３９】
また、前後基台フレーム２４ａには、図１のように、設置場所へのアンカー取付孔２９及び吊上部３０を形成するものとした。
【符号の説明】
【００４０】
１  筐体本体
２  縦フレーム
３  横フレーム
４  枠体
５  奥行フレーム
６  連結金具
７  覆い部
８  水切部
９  扉部
１０  正面板
１１  側板
１２  底板
１２ａ  孔部
１３  基台
１４  固定金具
１４ａ  固定孔
１４ｂ  固定部
１５  固定孔
１６  屋根部
１７  屋根板材
１８  水抜孔
１９  排水路
２０  開口部
２１  連通部
２２  立上辺
２３  板材
２４  基台フレーム
２４ａ  前後基台フレーム
２４ｂ  左右基台フレーム
２５  開口部
２６  排水口
２７  ガイド部材
２８  放出口
２９  アンカー取付孔
３０  吊上部
３１  側面部
４０  固定部
４０ａ  固定孔
４０ｂ  貫通孔
５０  板材
【図１】
2015216323.tif 000003
【図２】
2015216323.tif 000004
【図３】
2015216323.tif 000005
【図４】
2015216323.tif 000006
【図５】
2015216323.tif 000007
【図６】
2015216323.tif 000008
【図７】
2015216323.tif 000009
【図８】
2015216323.tif 000010
【図９】
2015216323.tif 000011
【図１０】
2015216323.tif 000012
【図１１】
2015216323.tif 000013
【図１２】
2015216323.tif 000014